(57)【要約】【課題】セキュリティの向上を図る。【解決手段】鍵管理装置１０は、位置取得部１１、鍵収納部１３、蓋部１４、錠部１５、記憶部１２、入力受付部１６、制御部１７を備える。位置取得部１１は、現在の位置情報である現在位置情報を取得する。鍵収納部１３は、前面が開口し、鍵を収納する。蓋部１４は、鍵収納部１３に開閉自在に取り付けられ、鍵収納部１３の開口を覆い、錠部１５を備える。錠部１５は、蓋部１４を閉じた状態で施錠して蓋部１４の開放を不能とし、解錠して蓋部１４の開放を可能とする。記憶部１２は、鍵を利用する目的地の位置情報である目的地位置情報を含む設定情報２０を記憶する。入力受付部１６は、認証情報の入力を受け付ける。制御部１７は、設定情報２０に基づき、現在位置情報が目的地位置情報と一致すると判定した場合に認証情報を入力受付部１６から受け付け、認証情報を認証した結果が整合する場合に錠部１５を解錠する。【選択図】図１
2020148040.tif 000002
【特許請求の範囲】
【請求項１】
現在の位置情報である現在位置情報を取得する位置取得部と、
前面が開口し、鍵を収納する鍵収納部と、
前記鍵収納部に開閉自在に取り付けられ、前記鍵収納部の前記開口を覆い、錠部を備える蓋部と、
前記蓋部を閉じた状態で施錠して前記蓋部の開放を不能とし、解錠して前記蓋部の開放を可能とする錠部と、
前記鍵を利用する目的地の位置情報である目的地位置情報を含む設定情報を記憶する記憶部と、
認証情報の入力を受け付ける入力受付部と、
前記設定情報に基づき、前記現在位置情報が前記目的地位置情報と一致すると判定した場合に前記認証情報を前記入力受付部から受け付け、前記認証情報を認証した結果が整合する場合に前記錠部を解錠する制御部とを備える、
鍵管理装置。
【請求項２】
前記設定情報は、
前記鍵の収納番号と、前記鍵を識別する鍵識別情報と、前記目的地の名称である目的地名称と、前記目的地位置情報とを対応づけたエントリを１以上含む情報である、
請求項１記載の鍵管理装置。
【請求項３】
前記鍵収納部は、
前記鍵を保持するキーホルダーと前記キーホルダーを解錠および施錠する機能とを備える鍵係止部と、
前記鍵が備えるタグに記憶された前記鍵識別情報を読み取るタグ読取部とを備える、
請求項２記載の鍵管理装置。
【請求項４】
前記制御部は、
前記設定情報に基づき、前記現在位置情報と前記目的地位置情報が一致する場合、前記鍵係止部を介して前記キーホルダーを解錠し、
前記設定情報に含まれる前記鍵識別情報と、前記タグ読取部を介して前記タグから読み取った前記鍵識別情報が一致する場合、前記鍵係止部を介して前記キーホルダーを施錠し、前記蓋部の閉鎖を検知し前記錠部を施錠する、
請求項３記載の鍵管理装置。
【請求項５】
前記鍵管理装置は、
前記鍵が収納された状態を表示する鍵状態表示部を外面に備え、
前記制御部は、
前記設定情報に含まれる前記鍵識別情報と前記タグ読取部を介して前記タグから読み取った前記鍵識別情報とを比較し、
前記比較した結果、前記鍵識別情報が一致と判定した場合は前記鍵状態表示部を緑色に点灯させ、
前記比較した結果、前記鍵識別情報が不一致と判定した場合は前記鍵状態表示部を赤色に点灯させ、
前記タグ読取部を介して前記鍵識別情報が読み取れない場合は前記鍵状態表示部を消灯させる、
請求項３記載の鍵管理装置。
【請求項６】
前記鍵管理装置は、
前記収納番号を表示する収納番号表示部と、前記目的地名称を表示する行先表示部とを外面に備え、
前記制御部は、
前記設定情報に基づき前記収納番号を前記収納番号表示部に表示し、
前記設定情報に基づき前記目的地名称を前記行先表示部に表示し、
前記設定情報に複数の前記エントリが含まれる場合、前記錠部の施錠を行った後、複数の前記目的地位置情報のうち前記現在位置情報と対応する前記目的地名称の次の目的地名称を強調表示する、
請求項２記載の鍵管理装置。
【発明の詳細な説明】
【技術分野】
【０００１】
本発明は、鍵管理装置に関する。
【背景技術】
【０００２】
店舗における入出金機や金融機関における金庫等から現金を回収する作業において、入出金機や金庫を開ける鍵は係員が管理および保管している。係員は、現金の回収作業を行う際に、複数の鍵を持ち運び、入出金機および金庫を回収ルートの順序に従って回り、鍵を用いて入出金機および金庫の開閉を行う。
【０００３】
複数の鍵を保管および管理する技術として、鍵管理ボックスが存在する。たとえば、オフィスに配置された複数の保管庫の錠前を解錠するために使用される電子キーを集中して保管管理する鍵管理ボックスの技術が知られている。
【先行技術文献】
【特許文献】
【０００４】
【特許文献１】特許第５０１１４４８号公報
【発明の概要】
【発明が解決しようとする課題】
【０００５】
従来技術は、オフィスに配置された保管庫を解錠するための鍵の管理を行う技術であり、複数の鍵を保管した鍵管理ボックスを係員が所持して移動することは考慮されていない。
【０００６】
係員が、回収ルートにおいて複数の鍵を持ち歩く状態は、セキュリティ対策や防犯対策が脆弱になりやすい。また、係員は、入出金機や金庫を解錠および施錠を行う際にそれぞれに異なる鍵を使用する必要があるため、鍵の取り違えや鍵の収納を忘れるという人為的ミスが発生することもある。
【０００７】
このような状況に対処するため、複数の鍵を持ち運び利用する際に、鍵の取り違えの防止とともにセキュリティの向上を図る技術が望まれている。
一側面では、本発明は、セキュリティの向上を図る鍵管理装置を提供することを目的とする。
【課題を解決するための手段】
【０００８】
上記目的を達成するために、以下に示すような鍵管理装置を提供する。鍵管理装置は、位置取得部、鍵収納部、蓋部、錠部、記憶部、入力受付部、制御部を備える。位置取得部は、現在の位置情報である現在位置情報を取得する。鍵収納部は、前面が開口し、鍵を収納する。蓋部は、鍵収納部に開閉自在に取り付けられ、鍵収納部の開口を覆い、錠部を備える。錠部は、蓋部を閉じた状態で施錠して蓋部の開放を不能とし、解錠して蓋部の開放を可能とする。記憶部は、鍵を利用する目的地の位置情報である目的地位置情報を含む設定情報を記憶する。入力受付部は、認証情報の入力を受け付ける。制御部は、設定情報に基づき、現在位置情報が目的地位置情報と一致すると判定した場合に認証情報を入力受付部から受け付け、認証情報を認証した結果が整合する場合に錠部を解錠する。
【発明の効果】
【０００９】
一態様によれば、セキュリティの向上を図る。
【図面の簡単な説明】
【００１０】
【図１】第１の実施形態の鍵管理装置一例を示す図である。
【図２】第２の実施形態の情報処理システムの一例を示す図である。
【図３】第２の実施形態のサーバのハードウェア構成の一例を示す図である。
【図４】第２の実施形態の鍵管理装置のハードウェア構成の一例を示す図である。
【図５】第２の実施形態の鍵管理装置の外観の一例を示す図である。
【図６】第２の実施形態の設定情報の一例を示す図である。
【図７】第２の実施形態のサーバおよび鍵管理装置のシーケンスの一例を示す図である。
【図８】第２の実施形態の警送中鍵管理処理のフローチャートの一例を示す図である。
【発明を実施するための形態】
【００１１】
以下、図面を参照して実施の形態を詳細に説明する。
［第１の実施形態］
まず、第１の実施形態の鍵管理装置について図１を用いて説明する。図１は、第１の実施形態の鍵管理装置の一例を示す図である。
【００１２】
鍵管理装置１０は、１以上の鍵を収納し、収納した鍵を利用可能とする装置である。鍵管理装置１０は、係員によって警備され、鍵を用いる目的地へ輸送される。係員が鍵管理装置１０を警備して輸送することを、警送とも記載する。係員は、目的地において入出金機や金庫等の扉を鍵で解錠し、入出金機や金庫等から現金を回収した後、扉を鍵で施錠する。目的地とは、入出金機や金庫等が設置された施設であり、たとえば、店舗のバックヤードや、企業の事務室や、金融機関の支店などである。
【００１３】
鍵管理装置１０は、位置取得部１１、記憶部１２、鍵収納部１３、蓋部１４、錠部１５、入力受付部１６、制御部１７を備える。位置取得部１１は、無線通信技術を利用して鍵管理装置１０の現在の位置情報（緯度、経度）である現在位置情報を取得するものであり、たとえば、ＧＰＳ（Global Positioning System）受信機である。
【００１４】
記憶部１２は、情報を記憶するものであり、たとえば、ＨＤＤ（Hard Disk Drive）や各種メモリ等である。記憶部１２には、鍵管理装置１０を制御するプログラムや、設定情報２０が記憶される。設定情報２０は、鍵を利用する目的地の位置情報（緯度、経度）である目的地位置情報を含む情報である。
【００１５】
鍵収納部１３は、前面が開口し、鍵を収納する略箱型の容器である。蓋部１４は、鍵収納部１３に開閉自在に取り付けられ、鍵収納部１３の開口を覆い、錠部１５を備える。錠部１５は、蓋部１４を閉じた状態で施錠して蓋部１４の開放を不能とし、解錠して蓋部１４の開放を可能とする。錠部１５は、制御部１７からの指示に基づき錠の解錠および施錠を制御する。
【００１６】
入力受付部１６は、認証情報の入力を受け付けるものである。たとえば、認証情報が、数字のパスワードである場合、入力受付部１６にテンキーが適用される。また、認証情報が、指紋などの生体情報である場合、入力受付部１６に生体認証装置が適用される。制御部１７は、鍵管理装置１０全体を制御するものであり、たとえば、プロセッサ等である。
【００１７】
ここで、係員が鍵管理装置１０を警送し、目的地において鍵管理装置１０に収納した鍵を用いる方法について説明する。係員は、警送を行う前に警送拠点（警備会社、金融機関等）において、予め設定情報２０を記憶部１２に記憶させるものとする。係員は、目的地Ａおよび目的地Ｂの位置情報を目的地位置情報として設定情報２０に登録するものとする。また、係員は、目的地で用いる鍵を鍵収納部１３に収納し、蓋部１４を閉じ、錠部１５を施錠する。
【００１８】
鍵管理装置１０は、鍵収納部１３に鍵が収納され、蓋部１４が閉じられ、錠部１５が施錠された状態で係員によって目的地へ警送される。鍵管理装置１０の制御部１７は、位置取得部１１を介して現在位置情報を取得する。制御部１７は、設定情報２０に基づき、現在位置情報が目的地位置情報と一致すると判定した場合に認証情報を入力受付部１６から受け付ける。制御部１７は、認証情報を認証した結果が整合する場合に錠部１５を解錠する。
【００１９】
たとえば、鍵管理装置１０が目的地Ａに警送された場合、位置取得部１１は、現在位置情報として目的地Ａの位置情報を取得する。制御部１７は、設定情報２０に登録された目的地Ａの目的地位置情報と現在位置情報（目的地Ａの位置情報）が一致すると判定し、認証情報を入力受付部１６から受け付ける。係員は、予め設定されたパスワードを入力受付部１６に入力し、パスワードが整合した場合、錠部１５が解錠され蓋部１４の開放が可能となり、鍵収納部１３に収納された鍵を取り出し用いることができる。鍵管理装置１０が、目的地Ａから目的地Ｂに警送された場合についても同様である。
【００２０】
このように、鍵管理装置１０は、予め記憶部１２に記憶した設定情報２０と位置取得部１１で取得した現在位置情報に基づいて、蓋部１４が備える錠部１５の解錠を制御できる。これにより、鍵管理装置１０は、鍵が利用される目的地でのみ蓋部１４の開放が可能となるため、警送途中における鍵の盗難や紛失を回避できる。
【００２１】
こうして、鍵管理装置１０は、鍵を収納し警送する場合において、セキュリティの向上を図ることができる。
［第２の実施形態］
次に、第２の実施形態として、情報処理システムについて図２を用いて説明する。図２は、第２の実施形態の情報処理システムの一例を示す図である。
【００２２】
情報処理システム４００は、サーバ３００によって情報を設定された鍵管理装置１００がネットワーク４１０の接続を解除され、鍵２００を使用される地点へ警備され輸送されるシステムである。鍵管理装置１００は、ネットワーク４１０を介してサーバ３００と情報通信が可能である。
【００２３】
鍵管理装置１００は、入出金機や金庫を解錠および施錠するための鍵２００を収納し管理する装置である。鍵管理装置１００が、サーバ３００から情報を設定される施設を警送拠点と記載する。警送拠点は、鍵管理装置１００の保管および管理を行い、サーバ３００を用いて鍵管理装置１００に情報を設定する施設である。警送拠点は、たとえば、警備会社や金融機関等である。また、鍵管理装置１００や現金等の貴重品を警備して輸送する行為を、警送と記載する。鍵管理装置１００は、１以上の鍵２００を収納し、鍵２００を使用する目的地（たとえば、店舗Ａ、金融機関Ｂ等）に係員によって警送される。鍵管理装置１００については、後で図４および図５を用いて説明する。
【００２４】
鍵２００は、入出金機や金庫を解錠および施錠するために用いられるものである。鍵２００には、個々にタグ２０１が備えられる。タグ２０１は、無線通信によって情報の読み出しや書き込みが可能であり、鍵２００を識別する鍵識別情報を記憶し、タグリーダによって識別情報を読み出されるものである。タグ２０１は、たとえば、ＲＦＩＤ（Radio Frequency IDentifier）タグである。鍵管理装置１００に収納される鍵２００は、それぞれタグ２０１を備えている。また、図示された複数の鍵２００は、異なる鍵２００であり、それぞれの鍵２００が異なるタグ２０１を備えるが、説明においては、鍵２００およびタグ２０１と記載する。また、タグ２０１は、鍵２００ごとに異なる鍵識別情報を記憶しているものとする。
【００２５】
サーバ３００は、鍵管理装置１００と情報通信を行う機能を備えるコンピュータである。サーバ３００については、後で図３を用いて説明する。
なお、情報処理システム４００においては、警送拠点と鍵２００を使用する目的地（店舗Ａ、金融機関Ｂ、…）を個別の施設として図示したが、警送拠点と目的地とは同一の施設内に存在してもよいし、その他の構成であってもよい。
【００２６】
ここで、情報処理システム４００における鍵管理装置１００の警送について説明する。まず、鍵管理装置１００は、警送拠点において、サーバ３００によって情報を設定される。鍵管理装置１００に設定される情報については、後で図６を用いて説明する。また、警送拠点において、係員が鍵管理装置１００に鍵２００を収納する。
【００２７】
係員は、鍵管理装置１００を最初の目的地である店舗Ａに警送する。係員は、入出金機の錠で用いる鍵２００を鍵管理装置１００から取り出し、鍵２００で店舗Ａに設置された入出金機を解錠し、入出金機から現金を回収し、入出金機を施錠し、使用した鍵２００を鍵管理装置１００に収納する。係員は、鍵管理装置１００を次の目的地である金融機関Ｂに警送する。係員は、鍵管理装置１００から鍵２００を取り出し、鍵２００で金融機関Ｂに設置された金庫を解錠し、金庫から現金を回収し、金庫を施錠し、使用した鍵２００を鍵管理装置１００に収納する。このように、係員は、鍵管理装置１００を警送し、目的地を巡り現金を回収し、最終目的地で現金を回収し施錠を行った後に、警送拠点に帰還する。
【００２８】
次に、第２の実施形態のサーバのハードウェア構成について図３を用いて説明する。図３は、第２の実施形態のサーバのハードウェア構成の一例を示す図である。
サーバ３００は、サーバ制御部３１０を含む。サーバ制御部３１０は、プロセッサ３１１、ＲＡＭ（Random Access Memory）３１２、ＨＤＤ３１３、画像信号処理部３１４、入力信号処理部３１５、媒体リーダ３１６、通信インタフェース３１７を含む。サーバ３００は、プロセッサ３１１によって装置全体が制御されている。プロセッサ３１１には、バス３１８を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００２９】
ＲＡＭ３１２は、サーバ３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００３０】
バス３１８に接続されている周辺機器としては、ＨＤＤ３１３、画像信号処理部３１４、入力信号処理部３１５、媒体リーダ３１６および通信インタフェース３１７がある。
ＨＤＤ３１３は、内蔵したディスクに対して、磁気的にデータの書き込みおよび読み出しを行う。ＨＤＤ３１３は、サーバ３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリ等の半導体記憶装置を使用することもできる。
【００３１】
画像信号処理部３１４は、プロセッサ３１１からの命令に従って、サーバ３００に接続されたディスプレイ３１４ａに画像を出力する。ディスプレイ３１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００３２】
入力信号処理部３１５は、サーバ３００に接続された入力デバイス３１５ａから入力信号を取得し、プロセッサ３１１に出力する。入力デバイス３１５ａとしては、マウス、タッチパネル、タッチパッド、トラックボール、キーボード、リモートコントローラ、ボタンスイッチ等、任意の種類の入力デバイスを用いることができる。また、サーバ３００に、複数の種類の入力デバイスが接続されていてもよい。
【００３３】
媒体リーダ３１６は、記録媒体３１９に記録されたプログラムやデータを読み取る読み取り装置である。記録媒体３１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００３４】
媒体リーダ３１６は、たとえば、記録媒体３１９から読み取ったプログラムやデータを、ＲＡＭ３１２やＨＤＤ３１３等の他の記録媒体にコピーする。読み取られたプログラムは、たとえば、プロセッサ３１１によって実行される。なお、記録媒体３１９は可搬型記録媒体であってもよく、プログラムやデータの配布に用いられることがある。また、記録媒体３１９やＨＤＤ３１３を、コンピュータ読み取り可能な記録媒体と言うことがある。
【００３５】
通信インタフェース３１７は、ネットワーク４１０に接続されている。通信インタフェース３１７は、他のコンピュータ、記憶装置、または通信機器との間でデータの送受信を行う。
【００３６】
以上のようなハードウェア構成によって、第２の実施形態のサーバ３００の処理機能を実現することができる。なお、上記の構成は一例であり、構成部の組み合わせは適宜決定できる。たとえば、上記構成のうち必要のないものを削除するとしてもよい。
【００３７】
サーバ３００は、たとえばコンピュータ読み取り可能な記録媒体に記録されたプログラムを実行することにより、第２の実施形態の処理機能を実現する。サーバ３００に実行させる処理内容を記述したプログラムは、様々な記録媒体に記録することができる。たとえば、サーバ３００に実行させるプログラムをＨＤＤ３１３に記憶することができる。プロセッサ３１１は、ＨＤＤ３１３内のプログラムの少なくとも一部をＲＡＭ３１２にロードし、プログラムを実行する。また、サーバ３００に実行させるプログラムを、光ディスク、メモリ装置、メモリカード等の可搬型記録媒体に記録することもできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００３８】
次に、第２の実施形態の鍵管理装置のハードウェア構成について図４を用いて説明する。図４は、第２の実施形態の鍵管理装置のハードウェア構成の一例を示す図である。
鍵管理装置１００は、鍵管理制御部１１０、蓋錠部１２１、タグリーダ１２２、鍵係止部１２３、ＧＰＳ１２４、表示部１２５、入力部１２６、スピーカー１２７を含む。鍵管理装置１００に含まれる各構成要素は、通信可能に接続されている。
【００３９】
鍵管理制御部１１０は、プロセッサ１１１、ＲＡＭ１１２、ＨＤＤ１１３、通信インタフェース１１４を含む。鍵管理装置１００は、プロセッサ１１１によって装置全体が制御されている。
【００４０】
ＲＡＭ１１２は、鍵管理装置１００の主記憶装置として使用される。ＲＡＭ１１２には、プロセッサ１１１に実行させるＯＳのプログラムやアプリケーションプログラムの少なくとも一部が一時的に記憶される。また、ＲＡＭ１１２には、プロセッサ１１１による処理に必要な各種データが記憶される。
【００４１】
ＨＤＤ１１３は、内蔵したディスクに対して、磁気的にデータの書き込みおよび読み出しを行う。ＨＤＤ１１３は、鍵管理装置１００の補助記憶装置として使用される。ＨＤＤ１１３には、ＯＳのプログラム、アプリケーションプログラム、および各種データが記憶される。ＨＤＤ１１３は、サーバ３００から設定された情報を記憶する。通信インタフェース１１４は、ネットワーク４１０に接続する機能を備える。通信インタフェース１１４は、サーバ３００や記憶装置との間でデータの送受信を行う。
【００４２】
蓋錠部１２１は、鍵管理装置１００を覆う蓋の錠の機構部であり、プロセッサ１１１からの指示に基づき錠の解錠および施錠を制御する。タグリーダ１２２は、鍵２００に備えられたタグ２０１の情報を読み込む機能を備える。タグリーダ１２２は、たとえば、ＲＦＩＤタグ対応の読取機能を備える。タグリーダ１２２を、タグ読取部とも記載する。
【００４３】
鍵係止部１２３は、鍵管理装置１００に収納された鍵２００を略環状のキーホルダーで保持し、プロセッサ１１１からの指示に基づきキーホルダーの解錠および施錠を行う。鍵係止部１２３で保持された鍵２００は、キーホルダーが解錠された際に収納および取り出しが可能となる。また、キーホルダーによって保持された鍵２００は、施錠された際に収納および取り出しが不可となる。
【００４４】
ＧＰＳ１２４は、ＧＰＳ受信機であり、ＧＰＳ衛星からの電波を受信し、現在の位置情報（緯度、経度）を検出する機能を備える。ＧＰＳ１２４は、検出した位置情報をプロセッサ１１１に通知する。なお、ＧＰＳ１２４は、現在の位置情報を取得する機能の一例であり、その他の無線通信の技術を用いて鍵管理装置１００の位置情報を取得してもよい。
【００４５】
表示部１２５は、鍵管理装置１００に設定された情報を表示する機能と、鍵２００の収納状態を表示する機能とを備える。表示部１２５は、液晶ディスプレイとＬＥＤ（Light Emitting Diode）とを備え、プロセッサ１１１からの指示に基づき情報を表示しＬＥＤを点灯する。入力部１２６は、情報の入力を受け付ける機能を備えており、たとえば、テンキーやタッチパッド等である。入力部１２６は、鍵ボックス蓋１３１の施錠を解除するための認証情報（パスワード、指紋等の生体情報）の入力を受け付ける。入力部１２６は、入力された認証情報を受け付け、プロセッサ１１１に通知する。また、入力部１２６は、鍵ボックス蓋１３１の施錠を解除するための認証処理がパスワード認証である場合、入力デバイスにテンキーを適用し、入力されたパスワードを表示する機能を備えることもできる。また、入力部１２６は、鍵ボックス蓋１３１の施錠を解除するための認証処理が、指紋認証である場合、入力部１２６に指紋認証装置や生体認証装置を適用できる。スピーカー１２７は、音声を出力する機能を備え、プロセッサ１１１からの指示に基づき音声を出力する。
【００４６】
次に、第２の実施形態の鍵管理装置の外観について図５を用いて説明する。図５は、第２の実施形態の鍵管理装置の外観の一例を示す図である。
鍵管理装置１００は、鍵ボックス本体１３０、鍵ボックス蓋１３１、鍵ボックス取っ手１３２を備えている。鍵ボックス本体１３０は、鍵２００および鍵管理装置１００の主要部を収納する容器であり、鍵ボックス本体１３０に鍵ボックス蓋１３１が閉じられた状態で施錠されることにより、鍵収納部１５０に収納された鍵２００が外部に放出されないように収納できる。
【００４７】
鍵ボックス蓋１３１は、鍵ボックス本体１３０に開閉可能に蝶番等で取り付けられている。鍵ボックス蓋１３１は、閉じた状態で鍵収納部１５０を覆う。鍵ボックス蓋１３１は、蓋錠部１２１を備えている。蓋錠部１２１は、鍵ボックス蓋１３１を鍵ボックス本体１３０に固定するための錠前であり、プロセッサ１１１の制御により解錠および施錠が可能である。蓋錠部１２１は、機械式ロックでもよいし、電磁式ロックでもよいし、その他のものでもよい。なお、蓋錠部１２１は、鍵ボックス蓋１３１の開閉状態を検知する機能も備えており、検知した開閉状態をプロセッサ１１１に通知する。
【００４８】
鍵ボックス取っ手１３２は、鍵ボックス本体１３０に備えられ、鍵管理装置１００を持ち上げるために用いるハンドルである。係員は、鍵ボックス取っ手１３２を手で把持することにより、鍵管理装置１００を持ち運ぶことができる。
【００４９】
鍵ボックス本体１３０は、表示部１２５、入力部１２６、ＧＰＳ１２４、スピーカー１２７、通信インタフェース１１４、鍵ボックス蓋１３１を備えている。表示部１２５および入力部１２６は、鍵ボックス本体１３０の外面に露出した状態で取り付けられている。鍵ボックス本体１３０は、略箱型をした容器であるが、これは一例に過ぎず、他の形状であってもよい。
【００５０】
また、鍵ボックス本体１３０は、鍵ボックス蓋１３１の内側に鍵２００を収納する鍵収納部１５０を備えている。鍵ボックス蓋１３１が開放された場合、鍵収納部１５０および収納されている鍵２００が露出した状態となる。鍵ボックス蓋１３１が閉鎖された場合、鍵収納部１５０および収納されている鍵２００が遮蔽した状態となる。図５においては、鍵ボックス蓋１３１が開放され、鍵収納部１５０および収納されている鍵２００が露出した状態を図示している。また、図５においては、鍵管理装置１００に収納される鍵２００は８本であるが、これは一例に過ぎず、収納する鍵２００の個数は適宜変更できる。
【００５１】
鍵ボックス蓋１３１は、鍵ボックス本体１３０の側面の少なくとも一部を構成する開閉自在な蓋である。鍵ボックス蓋１３１が、閉じられて鍵収納部１５０を覆うことにより、鍵収納部１５０に収納された鍵２００が内封される。鍵ボックス蓋１３１は、蓋錠部１２１を備えており、鍵ボックス蓋１３１が閉じられた状態で蓋錠部１２１を施錠することにより、開放を不能とする。鍵ボックス蓋１３１は、蓋錠部１２１を解錠することにより、開放を可能とする。
【００５２】
鍵収納部１５０は、前面が開口しており、鍵ボックス蓋１３１が開口部分を開閉し、鍵２００を収納する収容箱である。鍵収納部１５０は、収納番号表記部１４０ａ，１４０ｂ，１４０ｃ，１４０ｄ，１４０ｅ，１４０ｆ，１４０ｇ，１４０ｈと、鍵係止部１２３ａ，１２３ｂ，１２３ｃ，１２３ｄ，１２３ｅ，１２３ｆ，１２３ｇ，１２３ｈと、タグリーダ１２２ａ，１２２ｂ，１２２ｃ，１２２ｄ，１２２ｅ，１２２ｆ，１２２ｇ，１２２ｈとを収容箱の内部に備える。収納番号表記部１４０ａ，１４０ｂ，１４０ｃ，１４０ｄ，１４０ｅ，１４０ｆ，１４０ｇ，１４０ｈは、特に特定して説明する場合を除き収納番号表記部１４０と記載する。また、鍵係止部１２３ａ，１２３ｂ，１２３ｃ，１２３ｄ，１２３ｅ，１２３ｆ，１２３ｇ，１２３ｈは、特に特定して説明する場合を除き鍵係止部１２３と記載する。また、タグリーダ１２２ａ，１２２ｂ，１２２ｃ，１２２ｄ，１２２ｅ，１２２ｆ，１２２ｇ，１２２ｈは、特に特定して説明する場合を除きタグリーダ１２２と記載する。
【００５３】
収納番号表記部１４０は、鍵収納部１５０に収納された鍵２００の収納番号が表記される部分であり、数字や記号が表記される。収納番号表記部１４０は、鍵係止部１２３およびタグリーダ１２２と対応する位置に数字や記号が印刷されたラベルが貼付された領域である。鍵係止部１２３が備えるキーホルダーで、鍵管理装置１００に収納された鍵２００が保持される。タグリーダ１２２は、鍵２００が備えるタグ２０１を読み取り、プロセッサ１１１に通知する。プロセッサ１１１は、タグリーダ１２２ａが読み取ったタグ２０１の情報を収納番号「１」に対応するタグ２０１の情報（鍵識別情報）として認識する。プロセッサ１１１は、タグリーダ１２２ｂが読み取ったタグ２０１の情報を収納番号「２」に対応するタグ２０１の情報（鍵識別情報）として認識する。以降についても同様に、プロセッサ１１１は、タグリーダ１２２ｈが読み取ったタグ２０１の情報を収納番号「８」に対応するタグ２０１の情報（鍵識別情報）として認識する。
【００５４】
表示部１２５は、収納番号表示部１２５ａ、行先表示部１２５ｂ、鍵状態表示部１２５ｃを備える。収納番号表示部１２５ａは、収納番号表記部１４０に表記された数字等を表示する領域である。収納番号表示部１２５ａは、プロセッサ１１１からの指示に基づき、数字等を表示する。収納番号表示部１２５ａは、液晶パネル等で構成される。
【００５５】
行先表示部１２５ｂは、目的地を表示する領域である。行先表示部１２５ｂは、プロセッサ１１１からの指示に基づき、目的地（店舗名、施設名、地名等）を表示する。行先表示部１２５ｂは、液晶パネル等で構成される。
【００５６】
図５においては、収納番号表示部１２５ａのうち「１」が表示された領域と、行先表示部１２５ｂのうち「店舗Ａ」が表示された領域とを、他の領域とは異なる態様で強調表示した例を示している。強調表示とは、他の領域（通常表示）とは異なる文字フォントや、異なる文字色や下地色や枠色で表示する態様であり、鍵管理装置１００を用いる係員に対して注意喚起を行うための表示態様である。たとえば通常表示の下地色が白色で文字が黒色である場合、強調表示は下地色を黄色にするように通常表示よりも目立つ色合いに表示する。また、鍵管理装置１００は、色を変更せずに、通常表示で表示した文字を点滅させて強調することで強調表示を行うこともできる。
【００５７】
鍵状態表示部１２５ｃは、収納番号に対応する鍵係止部１２３に鍵２００が収納された状態（鍵状態）を表示する。たとえば、タグリーダ１２２が読み取った鍵識別情報が、収納番号に収納されるべき鍵２００の鍵識別情報である場合（鍵２００が正しく収納されている場合）、鍵状態表示部１２５ｃは緑色に点灯する。タグリーダ１２２が読み取った鍵識別情報が、収納番号に収納されるべき鍵２００の鍵識別情報でない場合（鍵２００が正しく収納されていない場合）、鍵状態表示部１２５ｃは赤色に点灯する。タグリーダ１２２が鍵識別情報を読み取れない場合（鍵２００が収納されていない場合）、鍵状態表示部１２５ｃは消灯する。
【００５８】
表示部１２５において、収納番号と、行先と、鍵状態とは対応づけて表示される。たとえば、表示部１２５において、収納番号「１」、行先「店舗Ａ」、鍵状態が緑色に表示された場合、行先「店舗Ａ」において用いられる鍵２００が、収納番号「１」に対応する鍵係止部１２３ａに正常に収納されていることを示す。
【００５９】
通信インタフェース１１４は、情報通信のインタフェースを備えるものであればよく、たとえば、ネットワークケーブルの挿入口や、無線通信の送受信機能部等である。通信インタフェース１１４、ＧＰＳ１２４、スピーカー１２７は、鍵ボックス本体１３０に向かって右側側面に配置されているが、これは一例に過ぎず、その他の位置であってもよい。
【００６０】
なお、プロセッサ１１１、ＲＡＭ１１２、ＨＤＤ１１３等は、鍵ボックス本体１３０の内部に備える制御基盤で実現されるが、図示を省略する。
次に、第２の実施形態の設定情報について図６を用いて説明する。図６は、第２の実施形態の設定情報の一例を示す図である。
【００６１】
設定情報６００は、鍵２００の収納番号、鍵２００が用いられる目的地（行先）の位置情報等を鍵管理装置１００に設定するための情報である。設定情報６００は、サーバ３００で係員から入力され、サーバ３００のＨＤＤ３１３等の記憶部に記憶された後、鍵管理装置１００のＨＤＤ１１３等の記憶部に記憶される情報である。係員は、鍵管理装置１００を警送する目的地の順序を収納番号として入力する。また、係員は、警送の目的地順（収納番号）に合致する目的地を行先として入力し、目的地で利用する鍵２００の鍵識別情報を対応づけて入力するものとする。
【００６２】
鍵管理装置１００は、設定情報６００に基づいて収納番号表示部１２５ａおよび行先表示部１２５ｂを表示する。また、鍵管理装置１００は、設定情報６００に基づいてタグリーダ１２２で読み取った鍵識別情報を判別し、鍵状態表示部１２５ｃを点灯する。
【００６３】
設定情報６００は、収納番号、行先、鍵識別情報、位置情報の項目を含む。収納番号の項目には、鍵２００の収納番号が登録される。収納番号は、鍵管理装置１００の警送ルートの行先の順序であるとともに、行先（目的地）において用いられる鍵２００の順番でもある。たとえば、最初に用いられる鍵２００の鍵識別情報と収納番号「１」が対応づけられて設定情報６００に記憶される。行先の項目には、鍵管理装置１００の警送ルートの行先（目的地）の名称が登録される。鍵識別情報の項目には、行先で用いられる鍵２００の鍵識別情報が登録される。位置情報の項目には、緯度と経度の項目を含む。緯度の項目には、行先の緯度が登録される。経度の項目には、行先の経度が登録される。
【００６４】
ここで、設定情報６００に含まれるエントリについて説明する。たとえば、設定情報６００には、収納番号に「１」、行先に「店舗Ａ」、鍵識別情報に「Ｈ０２３」、位置情報の緯度に「３５．６８１２」、経度に「１３９．７６７１」という情報が登録される。これは、１番に行く行先（収納番号「１」）について、行先の名称が「店舗Ａ」であり、店舗Ａで用いられる鍵２００の鍵識別情報が「Ｈ０２３」であることを示す。また、行先である店舗Ａが緯度「３５．６８１２」、経度「１３９．７６７１」に位置する施設であることを示す。
【００６５】
なお、図６において、設定情報６００は、収納番号「１」から「８」までのエントリが含まれており、収納番号の末尾の値は「８」であるが、これは一例に過ぎない。係員は、収納番号「１」のエントリを警送ルートの最初の行先に対応する情報として登録し、収納番号の末尾の番号のエントリを警送ルートの最後の行先に対応する情報として登録する。係員は、鍵管理装置１００の警送ルートに含まれる行先（目的地）の数に応じて収納番号を決定することができる。図６で示した情報は一例に過ぎず、設定情報６００は、収納番号、行先、鍵識別情報、位置情報を対応づけたエントリを１以上含む情報であればよい。
【００６６】
また、設定情報６００において、異なる収納番号に対して同一の行先が登録される場合もある。たとえば、支店Ｄにおいて、金庫が２つあり、異なる鍵２００を用いてそれぞれの金庫の解錠および施錠を行う場合について説明する。支店Ｄの警送の順番が「支店Ｃ（収納番号「３」）」の次の順番である場合、収納番号「４」および「５」の行先がともに「支店Ｄ」として登録される。また、収納番号「４」および「５」に対応するエントリに異なる鍵識別情報「Ｊ４２９」、「Ｉ９０４」がそれぞれ登録される。また、収納番号「４」および「５」に対応するエントリに同一の位置情報（緯度「３５．６８０９」、経度「１３９．７７２９」）が登録される。
【００６７】
次に、第２の実施形態のシーケンスについて図７を用いて説明する。図７は、第２の実施形態のサーバおよび鍵管理装置のシーケンスの一例を示す図である。
サーバ３００および鍵管理装置１００で実行されるシーケンスについて説明する。なお、サーバ３００が実行する処理は、サーバ制御部３１０（プロセッサ３１１）が実行する。鍵管理装置１００が実行する処理は、鍵管理制御部１１０（プロセッサ１１１）が実行する。
【００６８】
サーバ３００は、ネットワーク４１０を介して鍵管理装置１００と情報通信可能な状態であり、係員から入力を受け付け、処理を開始する。
［ステップＳ１１］サーバ３００は、入力デバイス３１５ａを介して設定情報６００の入力を係員から受け付け、ＨＤＤ３１３等の記憶部に記憶し、設定情報６００を鍵管理装置１００に送信する。
【００６９】
［ステップＳ１２］鍵管理装置１００は、設定情報６００を受信し、ＨＤＤ１１３等の記憶部に記憶する。
［ステップＳ１３］鍵管理装置１００は、鍵ボックス蓋１３１を解錠し、鍵係止部１２３を解錠する。鍵管理装置１００は、係員が収納する鍵２００を受け入れる。
【００７０】
［ステップＳ１４］鍵管理装置１００は、タグリーダ１２２で鍵２００が備えるタグ２０１から鍵識別情報を読み出す。
［ステップＳ１５］鍵管理装置１００は、ステップＳ１４でタグ２０１から読み出した情報と設定情報６００に基づき、表示部１２５に収納番号、行先、鍵２００の収納状態を表示する。
【００７１】
本ステップの処理について、さらに詳しく説明する。まず、鍵管理装置１００は、収納番号表示部１２５ａおよび行先表示部１２５ｂに、設定情報６００に含まれる収納番号および行先を収納番号順に表示する。次に、鍵管理装置１００は、タグリーダ１２２ａで読み出した鍵識別情報と、設定情報６００の収納番号「１」のエントリの鍵識別情報「Ｈ０２３」とを比較する。鍵管理装置１００は、比較結果として鍵識別情報が一致した場合、収納番号「１」を表示した収納番号表示部１２５ａに対応する鍵状態表示部１２５ｃを緑色に点灯する。鍵管理装置１００は、比較結果として鍵識別情報が不一致である場合、収納番号「１」を表示した収納番号表示部１２５ａに対応する鍵状態表示部１２５ｃを赤色に点灯する。鍵管理装置１００は、タグリーダ１２２ａで鍵識別情報が読み出せない場合、収納番号「１」を表示した収納番号表示部１２５ａに対応する鍵状態表示部１２５ｃを消灯する。
【００７２】
このようにして、鍵管理装置１００は、収納番号「２」以降に収納された鍵２００も同様に、鍵識別情報が一致する場合「緑色」、不一致である場合「赤色」、鍵識別情報が読み取れない場合「消灯」を行うことで、鍵状態表示部１２５ｃに鍵２００の収納状態を示す。なお、鍵管理装置１００における鍵状態を示す点灯方法は、一例であり、その他の色彩で点灯や点滅を行ってもよい。
【００７３】
係員は、鍵状態表示部１２５ｃの点灯状態（緑色の点灯、赤色の点灯、消灯）を目視することで、設定情報６００に基づき鍵２００が正しく収納されたか否かを確認することができる。
【００７４】
［ステップＳ１６］鍵管理装置１００は、収納番号と鍵識別情報が整合するか否かを判定する。言い換えると、鍵管理装置１００は、設定情報６００に登録された収納番号および鍵識別情報と、タグリーダ１２２を用いてタグ２０１から読み出した鍵識別情報とが一致するか否かを判定する。たとえば、鍵管理装置１００は、設定情報６００の収納番号「１」のエントリの鍵識別情報「Ｈ０２３」と、タグリーダ１２２ａで読み出した鍵識別情報とを比較し、一致するか否かを判定する。鍵管理装置１００は、収納番号「２」のエントリの鍵識別情報「Ｋ０９５」と、タグリーダ１２２ｂで読み出した鍵識別情報とを比較し、一致するか否かを判定する。鍵管理装置１００は、収納番号「３」以降も同様に、設定情報６００の鍵識別情報とタグリーダ１２２ｃ，…で読み出した鍵識別情報とが一致するか否かを判定する。
【００７５】
鍵管理装置１００は、鍵識別情報が整合しない場合（ステップＳ１６「Ｎｏ」の場合）は、不整合の収納番号および鍵識別情報をサーバ３００に送信し、ステップＳ１３にすすむ。鍵管理装置１００は、鍵識別情報が整合する場合（ステップＳ１６「Ｙｅｓ」の場合）、収納完了の旨をサーバ３００に送信し、ステップＳ１８にすすむ。
【００７６】
［ステップＳ１７］サーバ３００は、鍵管理装置１００から受信した情報と受信した情報に基づく指示をディスプレイ３１４ａに表示する。たとえば、サーバ３００は、不整合の収納番号および鍵識別情報を受信した場合、受信した情報とともに「鍵を正しく収納してください。」という指示をディスプレイ３１４ａに表示する。また、サーバ３００は、収納完了の旨を受信した場合、受信した情報とともに「鍵の収納が正しく終了しました。鍵ボックス蓋の施錠後、最初の行先の表示を確認の上で、ネットワークから切り離し、警送してください。」という指示をディスプレイ３１４ａに表示する。
【００７７】
［ステップＳ１８］鍵管理装置１００は、鍵係止部１２３を施錠する。
［ステップＳ１９］鍵管理装置１００は、鍵ボックス蓋１３１が閉じられたことを検知し、蓋錠部１２１を施錠する。
【００７８】
［ステップＳ２０］鍵管理装置１００は、最初の行先を強調表示し、処理を終了する。具体的には、鍵管理装置１００は、表示部１２５のうち、収納番号「１」および対応する行先を他の表示とは異なる表示とし、処理を終了する。
【００７９】
次に、第２の実施形態の警送中鍵管理処理について図８を用いて説明する。図８は、第２の実施形態の警送中鍵管理処理のフローチャートの一例を示す図である。
警送中鍵管理処理は、鍵管理装置１００が警送中において、設定情報６００に基づき鍵ボックス蓋１３１や鍵係止部１２３の解錠および施錠や、表示部１２５の表示を行う処理である。
【００８０】
鍵管理装置１００の鍵管理制御部１１０（プロセッサ３１１）は、図７で説明したように設定情報６００を記憶部に記憶し、鍵２００を収納し、鍵係止部１２３および鍵ボックス蓋１３１を施錠し、最初の行先を点灯した後、警送中鍵管理処理を実行する。
【００８１】
［ステップＳ３１］鍵管理制御部１１０は、ＧＰＳ１２４を介して現在位置の位置情報を取得し、設定情報６００に含まれる現在の行先の位置情報と一致するか否かを判定する。
【００８２】
ここで、現在の行先とは、本ステップを初回に実行する場合、設定情報６００に含まれる収納番号「１」と対応する行先である。次に本ステップを実行する場合、現在の行先とは、次の順序である収納番号「２」と対応する行先となる。収納番号「３」以降も同様に、原則として、設定情報６００に登録された収納番号の順序に従い現在の行先が定まるものとする。例外として、設定情報６００において同一の位置情報が連続する場合は、連続する位置情報の次の位置情報を現在の行先の位置情報として取得する。たとえば、設定情報６００において、行先「支店Ｄ」（収納番号「４」および「５」）の次の行先は「金融機関Ｅ」（収納番号「６」）となる。
【００８３】
また、位置情報の一致の判定は、予め定められた誤差の範囲内（たとえば、＋−２％）であれば一致と判定してもよく、設定情報６００に含まれる位置情報と完全一致でなくともよい。
【００８４】
［ステップＳ３２］鍵管理制御部１１０は、蓋錠部１２１の解錠処理を受け付ける。言い換えると、鍵管理制御部１１０は、入力部１２６を介して蓋錠部１２１の解錠処理を認証するためのパスワードを係員から受け付ける。
【００８５】
［ステップＳ３３］鍵管理制御部１１０は、解錠処理が適切か否かを判定する。鍵管理制御部１１０は、予めＨＤＤ１１３等の記憶部に記憶したパスワードと、入力部１２６から入力されたパスワードとが一致する場合（認証結果が整合した場合）に解錠処理が適切であると判定し、ステップＳ３４にすすむ。鍵管理制御部１１０は、パスワードが不一致である場合、解錠処理が不適切であると判定し、ステップＳ３２にもどる。
【００８６】
［ステップＳ３４］鍵管理制御部１１０は、蓋錠部１２１を解錠する。
［ステップＳ３５］鍵管理制御部１１０は、現在位置の位置情報と対応する収納番号の鍵係止部１２３を解錠する。なお、鍵管理制御部１１０は、現在位置と対応する収納番号が２以上存在する場合、２以上の鍵係止部１２３を解錠する。たとえば、鍵管理制御部１１０は、現在位置の位置情報が行先「支店Ｄ」の位置情報と一致する場合、収納番号「４」および「５」と対応する鍵係止部１２３ｄ，１２３ｅが備えるキーホルダーをそれぞれ解錠する。
【００８７】
係員は、収納された鍵２００を取り出し、目的地（行先）における入出金機や金庫を解錠し、現金回収の作業を行う。係員は、現金回収の作業終了後に使用した鍵２００を鍵管理装置１００に収納するものとする。
【００８８】
［ステップＳ３６］鍵管理制御部１１０は、タグリーダ１２２を介して鍵２００が備えるタグ２０１から鍵識別情報を読み出す。
［ステップＳ３７］鍵管理制御部１１０は、ステップＳ３６で読み出した鍵識別情報と記憶部に記憶した設定情報６００に基づいて鍵状態表示部１２５ｃを点灯する。鍵管理制御部１１０は、設定情報６００に登録された収納番号および鍵識別情報と収納番号に対応するタグリーダ１２２で読み出した鍵識別情報とを比較して一致した場合、収納番号に対応する鍵状態表示部１２５ｃを緑色に点灯する。鍵管理制御部１１０は、設定情報６００に登録された収納番号および鍵識別情報とタグリーダ１２２で読み出した鍵識別情報とを比較して一致しない場合、収納番号に対応する鍵状態表示部１２５ｃを赤色に点灯する。鍵管理装置１００は、タグリーダ１２２で鍵識別情報が読み出せない場合、収納番号に対応する鍵状態表示部１２５ｃを消灯する。
【００８９】
［ステップＳ３８］鍵管理制御部１１０は、鍵２００が正しく収納されているか否かを判定する。鍵管理制御部１１０は、設定情報６００に登録された収納番号および鍵識別情報と、識別番号に対応するタグリーダ１２２で読み出した鍵識別情報とを比較して一致した場合、鍵２００が正しく収納されていると判定する。鍵管理制御部１１０は、鍵２００が正しく収納されている場合はステップＳ４０にすすみ、正しく収納されていない場合（鍵識別情報が不一致である場合）はステップＳ３９にすすむ。
【００９０】
［ステップＳ３９］鍵管理制御部１１０は、エラー音声をスピーカー１２７から出力する。たとえば、鍵管理制御部１１０は、収納番号「１」に収納された鍵２００の鍵識別情報が不一致である場合、「収納番号１番の鍵が不一致です。鍵を正しく収納してください。」という音声を出力するようスピーカー１２７に指示する。
【００９１】
［ステップＳ４０］鍵管理制御部１１０は、鍵係止部１２３と鍵ボックス蓋１３１を施錠する。なお、鍵管理制御部１１０は、２以上の鍵係止部１２３を解錠した場合、２以上の鍵係止部１２３を施錠する。また、鍵管理装置１００は、鍵ボックス蓋１３１が閉じられたことを検知し（鍵ボックス蓋１３１の閉鎖を検知し）、蓋錠部１２１を施錠する。
【００９２】
［ステップＳ４１］鍵管理制御部１１０は、次の行先が存在するか否かを判定する。鍵管理制御部１１０は、現在の位置情報に対応する収納番号に「１」を加算した値が収納番号の末尾の値よりも小さい場合、次の行先が存在すると判定する。鍵管理制御部１１０は、現在の位置情報に対応する収納番号に「１」を加算した値が収納番号の末尾の値よりも大きい場合、次の行先が存在しないと判定する。
【００９３】
なお、鍵管理制御部１１０は、現在の収納番号に対応する位置情報と、次の収納番号に対応する位置情報が同一である場合（設定情報６００において同一の位置情報が連続する場合）、異なる位置情報を収納番号の昇順にサーチする。鍵管理制御部１１０は、設定情報６００をサーチし、現在の収納番号以降に、現在の位置情報と異なる位置情報が存在しない場合、次の行先が存在しないと判定する。鍵管理制御部１１０は、設定情報６００をサーチし、現在の収納番号以降に、現在の行先の位置情報と異なる位置情報が存在する場合、次の行先が存在すると判定する。
【００９４】
鍵管理制御部１１０は、次の行先が存在する場合はステップＳ４２にすすみ、次の行先が存在しない場合は処理を終了する。
なお、処理の終了時において、鍵管理制御部１１０は、設定情報６００を暗号化して記憶部に保存した状態を保つことが可能である。これにより、鍵管理制御部１１０は、設定情報６００に登録された警送ルートを再度用いる場合に備えるとともに、設定情報６００のセキュリティを保つことが可能となる。
【００９５】
また、処理の終了時において、鍵管理制御部１１０は、通信インタフェース１１４を介してデータ消去の指示を受け付け、設定情報６００を記憶部から消去することも可能である。これにより、鍵管理制御部１１０は、設定情報６００に登録された警送ルートを再度用いることが無い場合にデータを消去することにより、設定情報６００のセキュリティを保つことが可能となる。
【００９６】
［ステップＳ４２］鍵管理制御部１１０は、収納番号表示部１２５ａおよび行先表示部１２５ｂの次の行先を強調表示し、現在の行先を通常表示し、ステップＳ３１にすすむ。鍵管理制御部１１０は、次の行先について強調表示を行うことにより、行先についての注意喚起とともに、警送ルートの誤りの低減を図る。
【００９７】
たとえば、現在の行先が「店舗Ａ」であり、収納番号表示部１２５ａおよび行先表示部１２５ｂにおいて現在の行先に対応する収納番号「１」および行先「店舗Ａ」が強調表示されているものとする。鍵管理制御部１１０は、設定情報６００に基づき、収納番号表示部１２５ａおよび行先表示部１２５ｂに、次の行先「金融機関Ｂ」と対応する収納番号「２」および行先「金融機関Ｂ」の表示態様について強調表示を行う指示を行う。鍵管理制御部１１０は、収納番号表示部１２５ａおよび行先表示部１２５ｂに、現在の行先「店舗Ａ」と対応する収納番号「１」および行先「店舗Ａ」の表示態様について通常表示を行う指示を行い、ステップＳ３１にすすむ。
【００９８】
このように、鍵管理制御部１１０は、現在位置に基づいて鍵ボックス蓋１３１の解錠を受け付けるか否かを判定する。これにより、鍵管理装置１００は、目的地以外の場所で鍵２００を取り出すことを制限することで、鍵２００の盗難や紛失を回避することができる。
【００９９】
また、鍵管理制御部１１０は、目的地に対応する鍵係止部１２３のみを解錠し、鍵２００が正しく収納されたことを確認後に鍵係止部１２３と鍵ボックス蓋１３１を施錠する。これにより、鍵管理装置１００は、目的地で使用する鍵２００のみを取り出し可能とし、その他の鍵２００については取り出しを不可とできる。また、鍵管理装置１００は、鍵２００が正しく収納されたか否かを示す収納状態を鍵状態表示部１２５ｃに表示することで、鍵２００を収納する際の取り違えを防止することができる。
【０１００】
こうして、鍵管理装置１００は、ＧＰＳ１２４を介して取得した現在位置に基づき、鍵ボックス蓋１３１および鍵係止部１２３の解錠および施錠を行い、表示部１２５によって目的地および鍵状態を表示できる。これにより、鍵管理装置１００は、係員による鍵２００の取り違え等の人為的ミスを回避するとともに、鍵２００の収納ミスが生じた場合であっても表示部１２５によって鍵２００の収納状態を報知するため係員に注意を促すことができる。
【０１０１】
このように、鍵管理装置１００は、鍵２００を警送して用いる際におけるセキュリティの向上を図ることができる。
なお、上記の処理機能は、コンピュータによって実現することができる。その場合、鍵管理装置１０，１００、サーバ３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録することができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ等がある。
【０１０２】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１０３】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１０４】
また、上記の処理機能の少なくとも一部を、ＤＳＰ、ＡＳＩＣ、ＰＬＤ等の電子回路で実現することもできる。
【符号の説明】
【０１０５】
１０  鍵管理装置
１１  位置取得部
１２  記憶部
１３  鍵収納部
１４  蓋部
１５  錠部
１６  入力受付部
１７  制御部
２０  設定情報
【図１】
2020148040.tif 000003
【図２】
2020148040.tif 000004
【図３】
2020148040.tif 000005
【図４】
2020148040.tif 000006
【図５】
2020148040.tif 000007
【図６】
2020148040.tif 000008
【図７】
2020148040.tif 000009
【図８】
2020148040.tif 000010